【手続補正書】
【提出日】平成22年3月19日(2010.3.19)
【手続補正１】
【補正対象書類名】明細書
【補正対象項目名】００１４
【補正方法】変更
【補正の内容】
【００１４】
前記サービスサーバは、前記ネットワーク家電機器の前記第１の記憶部に記憶された前記設定情報に対する更新情報を生成して前記ダイレクトアクセス管理サーバを介して前記ネットワーク家電機器に送信する第１の更新情報送信部をさらに具備し、前記ネットワーク家電機器は、前記更新情報をもとに前記第１の記憶部に記憶された前記設定情報を更新する設定情報更新処理部をさらに具備するものとしてもよい。これにより、サービスサーバでのサービスの変更などが発生した場合に、そのサービスの変更内容をネットワーク家電機器に記憶された設定情報に迅速に反映させることができる。
【手続補正２】
【補正対象書類名】明細書
【補正対象項目名】００１６
【補正方法】変更
【補正の内容】
【００１６】
前記サービスサーバは、前記ネットワーク家電機器の前記第１の記憶部に記憶された前記付加情報に対する更新情報を生成して前記ダイレクトアクセス管理サーバを介して前記ネットワーク家電機器に送信する第２の更新情報送信部をさらに具備し、前記ネットワーク家電機器は、前記更新情報をもとに前記第１の記憶部に記憶された前記付加情報を更新する付加情報更新処理部をさらに具備することとしてもよい。これにより、サービスサーバの判断でメッセージ送信の遅延時間を変更することができ、サービスサーバおよびダイレクトアクセス管理サーバにおけるアクセス負荷をより最適な範囲に維持することができ、システムの効率の向上および安定性の向上を図ることができる。
【手続補正３】
【補正対象書類名】明細書
【補正対象項目名】００１８
【補正方法】変更
【補正の内容】
【００１８】
前記ネットワーク家電機器の前記メッセージ送信部は、イベントが発生したとき、前記第１の記憶部に記憶された設定情報をもとに、当該イベントに関するメッセージの送信の要否を判定し、送信が必要な場合に、前記ネットワーク家電機器が前記サービスサーバにアクセスするために必要な情報の取得要求を前記メッセージとして前記ダイレクトアクセス管理サーバに送信し、前記ダイレクトアクセス管理サーバより応答された情報をもとに前記イベントに関するメッセージを前記サービスサーバに送信し、前記ダイレクトアクセス管理サーバは、前記ネットワーク家電機器からの前記取得要求のメッセージに含まれる前記制御機器・サービス管理ＩＤに対応する、前記サービスサーバにアクセスするために必要な情報を前記サービスサーバから取得して、前記ネットワーク家電機器に応答するアクセス情報提供部をさらに具備することとしてもよい。これにより、ネットワーク家電機器から、ダイレクトアクセス管理サーバを介さずサービスサーバに直接イベントに関するメッセージを送信することができ、サイズが大きいメッセージを送信する場合でのダイレクトアクセス管理サーバの負担を軽減することができる。
【手続補正４】
【補正対象書類名】明細書
【補正対象項目名】００６４
【補正方法】変更
【補正の内容】
【００６４】
また、ＳＯＡＰサーバ４２は、ステップＳ５２１のチェック結果がＯＫの場合、すなわち被制御機器登録用パスワードが記憶部４１に記憶されているものと一致し、かつ被制御機器登録用パスワードの有効期限が切れていない場合には、記憶部４１に記憶されている情報を参照して、被制御機器登録要求＜Ｒ−６＞に含まれている機器認証継続ＩＤに被制御機器管理ＩＤが割り当てられているかどうかの判断を行う（図１８：ステップＳ５２２）。機器認証継続ＩＤに対応する被制御機器管理ＩＤがまだ割り当てられていない場合、ＳＯＡＰサーバ４２は、その被制御機器２０に対して被制御機器管理ＩＤを割り当て（図１８：ステップＳ５２３）、この割り当てた被制御機器管理ＩＤを、その被制御機器２０の機器認証情報および機器認証継続ＩＤと対応付けて記憶部４１に保存する（図１８：ステップＳ５２４）。被制御機器登録要求＜Ｒ−６＞に含まれている機器認証継続ＩＤに被制御機器管理ＩＤがすでに割り当てられている場合には、ＳＯＡＰサーバ４２は被制御機器管理ＩＤを、記憶部４１に該被制御機器登録用パスワードと対応付けられて保存されている制御機器・サービス管理ＩＤと関連付けて記憶部４１に保存する（図１８：ステップＳ５２５）。ここで、被制御機器管理ＩＤとは、被制御機器に対してダイレクトアクセス管理サーバ４０内でユニークに割り当てられる識別情報である。これによって、制御機器とサービスとの組み合わせに対して割り当てられた制御機器・サービス管理ＩＤと、被制御機器に対して割り当てられた被制御機器管理ＩＤとの紐付けが行われる。この紐付けは、１つの制御機器・サービス管理ＩＤに対して複数の被制御機器管理ＩＤが紐付けされても、逆に複数の制御機器・サービス管理ＩＤに対して１つの被制御機器管理ＩＤが紐付けされても構わない。
【手続補正５】
【補正対象書類名】明細書
【補正対象項目名】００９５
【補正方法】変更
【補正の内容】
【００９５】
サービスサーバ３０は、ダイレクトアクセス管理サーバ４０内のＳＯＡＰサーバ４２から被制御機器の登録が必要であることを示すエラーコードをメッセージ送信設定応答＜Ｍ−Ａ−５＞として受信すると（図１６：ステップＳ９１７）、この被制御機器の登録が必要であることを示すエラーコードをメッセージ送信設定応答＜Ｍ−Ａ−６＞として制御機器１０に送信する（図１６：ステップＳ９１８）。制御機器１０は、サービスサーバ３０から被制御機器の登録が必要であることを示すエラーコードをメッセージ送信設定応答＜Ｍ−Ａ−６＞として受信すると（図１３：ステップＳ８１８）、被制御機器の登録が必要であることを表示部を通じてユーザに表示する（図１３：ステップＳ８１９）。
【手続補正６】
【補正対象書類名】明細書
【補正対象項目名】０１２９
【補正方法】変更
【補正の内容】
【０１２９】
「録画不可予約」とは、録画予約リストに登録されているが、ディスク残量不足や、他の予約との重複により、録画できない予約である。被制御機器２０にて、この「録画不可予約」が検出されたならば、例えば、被制御機器２０から制御機器１０に、その「録画不可予約」に関する予約情報と理由などがメッセージとして送信され、制御機器１０の表示部に表示される。このとき「録画不可予約」とされたタイトルを録画したい場合には、制御機器１０のユーザによって、録画予約リストを要求する入力が行われることによって、制御機器１０から被制御機器２０にその要求が送信され、被制御機器２０は録画予約リストを制御機器１０に応答する。これにより、制御機器１０の表示部に録画予約リストが表示され、その中でユーザは、ディスク残量を確保するために解除したい録画予約や、「録画不可予約」に対して重複する録画予約の解除要求を入力することによって、制御機器１０から被制御機器２０に録画予約の解除要求が送信され、被制御機器２０にて、この録画予約の解除要求が処理される。
【手続補正７】
【補正対象書類名】明細書
【補正対象項目名】０１５６
【補正方法】変更
【補正の内容】
【０１５６】
また、ダイレクトアクセス管理サーバ４０は、図２１のステップＳ１０３２のチェック結果がＯＫの場合、すなわち被制御機器２０より受信したメッセージ＜Ｍ−Ｅ−１＞に含まれる機器認証継続ＩＤが記憶部４１に記憶されているものと一致し、かつその機器認証継続ＩＤの有効期限が切れていない場合、記憶部４１から、その機器認証継続ＩＤに対応する被制御機器管理ＩＤおよび機器認証情報を検索する（図２１：ステップＳ１０３４）。続いて、ダイレクトアクセス管理サーバ４０は、検索された被制御機器管理ＩＤに対して振り直されて記憶部４１に記憶された被制御機器の番号を検索するとともに、被制御機器２０より受信したメッセージ＜Ｍ−Ｅ−１＞に含まれる制御機器・サービス管理ＩＤに対応して記憶部４１に記憶されているサービスサーバ３０のＵＲＩを検索する（図２１：ステップＳ１０３５）。このステップＳ１０３５の処理は、被制御機器２０から受信したメッセージ＜Ｍ−Ｅ−１＞に含まれる制御機器・サービス管理ＩＤが複数の要素からなる場合には、要素数の回数繰り返される。
【手続補正８】
【補正対象書類名】明細書
【補正対象項目名】０１７６
【補正方法】変更
【補正の内容】
【０１７６】
【図１】本発明の一の実施形態にかかるネットワークシステムの全体的な構成を示す図である。
【図２】図１のネットワークシステムにおいて制御機器とサービスとの組み合わせの登録と被制御機器の登録を行う際の情報の流れを示すシーケンス図である。
【図３】被制御機器のＸＭＰＰログインに関する情報の流れを示すシーケンス図である。
【図４】メッセージ送信設定時の情報の流れを示すシーケンス図である。
【図５】図４のメッセージ送信設定時のインタフェース機能をまとめた図表である。
【図６】メッセージ送信設定のＯＮ通知時の情報の流れを示すシーケンス図である。
【図７】図６のメッセージ送信設定のＯＮ通知時のインタフェース機能をまとめた図表である。
【図８】イベント通知のメッセージ送信時の情報の流れを示すシーケンス図である。
【図９】イベント通知のメッセージ送信時のインタフェース機能をまとめた図表である。
【図１０】イベント発生時のサービスサーバへのダイレクトなメッセージ送信処理時の情報の流れを示すシーケンス図である。
【図１１】図１０のダイレクトなメッセージ送信処理時のインタフェース機能をまとめた図表である。
【図１２】被制御機器登録時の制御機器のフローチャートである。
【図１３】メッセージ送信設定に関する制御機器１０の動作を示すフローチャートである。
【図１４】被制御機器登録時のサービスサーバのフローチャートである。
【図１５】メッセージ送信設定時のサービスサーバの動作を示すフローチャートである。
【図１６】同じくメッセージ送信設定時のサービスサーバの動作を示すフローチャートである。
【図１７】メッセージ受信時のサービスサーバの動作を示すフローチャートである。
【図１８】被制御機器登録時のダイレクトアクセス管理サーバのフローチャートである。
【図１９】被制御機器のＸＭＰＰログイン時のダイレクトアクセス管理サーバの動作を示すフローチャートである。
【図２０】メッセージ送信設定時のダイレクトアクセス管理サーバの動作を示すフローチャートである。
【図２１】メッセージ送信設定のＯＮ通知時およびメッセージ送信時のダイレクトアクセス管理サーバの動作を示すフローチャートである。
【図２２】被制御機器登録時の被制御機器のフローチャートである。
【図２３】メッセージ送信設定時およびメッセージ送信時の被制御機器の動作を示すフローチャートである。
【図２４】ダイレクトなメッセージ送信処理時のサービスサーバの動作を示すフローチャートである。
【図２５】ダイレクトなメッセージ送信処理時の被制御機器の動作を示すフローチャートである。
【図２６】Ｆｕｌｌ ＪＩＤの構成を示す図である。
【図２７】Ｆｕｌｌ ＪＩＤの別の構成を示す図である。
【手続補正９】
【補正対象書類名】特許請求の範囲
【補正対象項目名】全文
【補正方法】変更
【補正の内容】
【特許請求の範囲】
【請求項１】
端末装置と、この端末装置の制御対象であるネットワーク家電機器と、前記端末装置に対してネットワークを介して前記ネットワーク家電機器を制御するためのサービスを提供するサービスサーバと、前記ネットワークを介して前記ネットワーク家電機器にダイレクトにアクセスするために必要な情報の授受を行うダイレクトアクセス管理サーバとを具備するネットワークシステムであって、
前記ネットワーク家電機器は、
前記ダイレクトアクセス管理サーバより受信した、前記ネットワーク家電機器で発生するイベントに関する、前記端末装置とサービスとの組み合わせに対して割り当てられた制御機器・サービス管理ＩＤごとのメッセージ送信の要否を設定する設定情報を記憶する第１の記憶部と、
前記イベントが発生したとき、前記第１の記憶部に記憶された設定情報をもとに、当該イベントに関するメッセージの送信の要否を判定し、送信が必要な場合に、前記設定情報に含まれる前記制御機器・サービス管理ＩＤを含むメッセージを送信するメッセージ送信部とを具備し、
前記ダイレクトアクセス管理サーバは、前記ネットワーク家電機器より受信した前記メッセージに含まれる前記制御機器・サービス管理ＩＤをもとに前記サービスサーバを特定して、このサービスサーバに前記メッセージを送信する第１のメッセージ伝達処理部を具備し、
前記サービスサーバは、前記ダイレクトアクセス管理サーバより受信した前記メッセージに含まれる前記制御機器・サービス管理ＩＤをもとに前記端末装置の宛先を特定して、この宛先に前記メッセージを送信する第２のメッセージ伝達処理部を具備することを特徴とするネットワークシステム。
【請求項２】
請求項１に記載のネットワークシステムであって、
前記端末装置は、前記ネットワーク家電機器に登録すべき前記設定情報とユーザ識別情報とを含む第１のメッセージ送信設定要求を前記サービスサーバに送信する第１のメッセージ送信設定処理部を具備し、
前記サービスサーバは、
前記ユーザ識別情報と制御機器・サービス管理ＩＤとを対応付けて記憶する第２の記憶部と、
前記端末装置から受信した前記第１のメッセージ送信設定要求に含まれる前記ユーザ識別情報に対応する制御機器・サービス管理ＩＤを前記第２の記憶部から取得し、この制御機器・サービス管理ＩＤと前記設定情報とを含む第２のメッセージ送信設定要求を前記ダイレクトアクセス管理サーバに送信する第２のメッセージ送信設定処理部とを具備し、
前記ダイレクトアクセス管理サーバは、
前記制御機器・サービス管理ＩＤと前記ネットワーク家電機器に割り当てられた被制御機器管理ＩＤとを関連付けて記憶する第３の記憶部と、
前記サービスサーバから受信した第２のメッセージ送信設定要求に含まれる前記制御機器・サービス管理ＩＤに関連付けられた被制御機器管理ＩＤを前記第３の記憶部から取得し、この被制御機器管理ＩＤが割り当てられた前記ネットワーク家電機器に、前記設定情報を含む第３のメッセージ送信設定要求を送信する第３のメッセージ送信設定処理部とを具備することを特徴とするネットワークシステム。
【請求項３】
請求項１に記載のネットワークシステムであって、
前記設定情報は、イベントの種別ごとにメッセージ送信の要否を設定する情報をさらに含むことを特徴とするネットワークシステム。
【請求項４】
請求項１に記載のネットワークシステムであって、
前記サービスサーバは、前記ネットワーク家電機器の前記第１の記憶部に記憶された前記設定情報に対する更新情報を生成して前記ダイレクトアクセス管理サーバを介して前記ネットワーク家電機器に送信する第１の更新情報送信部をさらに具備し、
前記ネットワーク家電機器は、前記更新情報をもとに前記第１の記憶部に記憶された前記設定情報を更新する設定情報更新処理部をさらに具備することを特徴とするネットワークシステム。
【請求項５】
請求項１に記載のネットワークシステムであって、
前記設定情報は、メッセージ伝達処理の負荷分散パラメータを付加情報として含むことを特徴とするネットワークシステム。
【請求項６】
請求項５に記載のネットワークシステムであって、
前記負荷分散パラメータが、メッセージ送信の遅延時間であることを特徴とするネットワークシステム。
【請求項７】
請求項５に記載のネットワークシステムであって、
前記サービスサーバは、前記ネットワーク家電機器の前記第１の記憶部に記憶された前記付加情報に対する更新情報を生成して前記ダイレクトアクセス管理サーバを介して前記ネットワーク家電機器に送信する第２の更新情報送信部をさらに具備し、
前記ネットワーク家電機器は、前記更新情報をもとに前記第１の記憶部に記憶された前記付加情報を更新する付加情報更新処理部をさらに具備することを特徴とするネットワークシステム。
【請求項８】
請求項１に記載のネットワークシステムであって、
前記ネットワーク家電機器の前記メッセージ送信部は、前記メッセージ送信設定要求によりイベントに関するメッセージの送信が必要であることが設定されたとき、この設定完了を前記メッセージとして送信することを特徴とするネットワークシステム。
【請求項９】
請求項１に記載のネットワークシステムであって、
前記ネットワーク家電機器の前記メッセージ送信部は、イベントが発生したとき、前記第１の記憶部に記憶された設定情報をもとに、当該イベントに関するメッセージの送信の要否を判定し、送信が必要な場合に、前記ネットワーク家電機器が前記サービスサーバにアクセスするために必要な情報の取得要求を前記メッセージとして前記ダイレクトアクセス管理サーバに送信し、前記ダイレクトアクセス管理サーバより応答された情報をもとに前記イベントに関するメッセージを前記サービスサーバに送信し、
前記ダイレクトアクセス管理サーバは、前記ネットワーク家電機器からの前記取得要求のメッセージに含まれる前記制御機器・サービス管理ＩＤに対応する、前記サービスサーバにアクセスするために必要な情報を前記サービスサーバから取得して、前記ネットワーク家電機器に応答するアクセス情報提供部をさらに具備することを特徴とするネットワークシステム。
【請求項１０】
請求項９に記載のネットワークシステムであって、
前記ダイレクトアクセス管理サーバの前記アクセス情報提供部が前記ネットワーク家電機器に提供する、前記サービスサーバにアクセスするために必要な情報はワンタイムパスワードを含むことを特徴とするネットワークシステム。
【請求項１１】
端末装置と、この端末装置の制御対象であるネットワーク家電機器と、前記端末装置に対してネットワークを介して前記ネットワーク家電機器を制御するためのサービスを提供するサービスサーバと、前記ネットワークを介して前記ネットワーク家電機器にダイレクトにアクセスするために必要な情報の授受を行うダイレクトアクセス管理サーバとを具備するネットワークシステムのメッセージ処理方法であって、
前記ネットワーク家電機器が、前記ダイレクトアクセス管理サーバより受信した、前記ネットワーク家電機器で発生するイベントに関する、前記端末装置とサービスとの組み合わせに対して割り当てられた制御機器・サービス管理ＩＤごとのメッセージ送信の要否を設定する設定情報を第１の記憶部に記憶するステップと、
前記ネットワーク家電機器のメッセージ送信部が、前記イベントが発生したとき、前記第１の記憶部に記憶された設定情報をもとに、当該イベントに関するメッセージの送信の要否を判定し、送信が必要な場合に、前記設定情報に含まれる前記制御機器・サービス管理ＩＤを含むメッセージを送信するステップと、
前記ダイレクトアクセス管理サーバの第１のメッセージ伝達処理部が、前記ネットワーク家電機器より受信した前記メッセージに含まれる前記制御機器・サービス管理ＩＤをもとに前記サービスサーバを特定して、このサービスサーバに前記メッセージを送信するステップと、
前記サービスサーバの第２のメッセージ伝達処理部が、前記ダイレクトアクセス管理サーバより受信した前記メッセージに含まれる前記制御機器・サービス管理ＩＤをもとに前記端末装置の宛先を特定して、この宛先に前記メッセージを送信するステップと
を具備することを特徴とするネットワークシステムのメッセージ処理方法。
【請求項１２】
請求項１１に記載のネットワークシステムのメッセージ処理方法であって、
前記端末装置の第１のメッセージ送信設定処理部が、前記ネットワーク家電機器に登録すべき前記設定情報とユーザ識別情報とを含む第１のメッセージ送信設定要求を前記サービスサーバに送信するステップと、
前記サービスサーバの第２の記憶部に、前記ユーザ識別情報と制御機器・サービス管理ＩＤとを対応付けて記憶するステップと、
前記サービスサーバの第２のメッセージ送信設定処理部が、前記端末装置から受信した前記第１のメッセージ送信設定要求に含まれる前記ユーザ識別情報に対応する制御機器・サービス管理ＩＤを前記第２の記憶部から取得し、この制御機器・サービス管理ＩＤと前記設定情報とを含む第２のメッセージ送信設定要求を前記ダイレクトアクセス管理サーバに送信するステップと、
前記ダイレクトアクセス管理サーバの第３の記憶部に、前記制御機器・サービス管理ＩＤと前記ネットワーク家電機器に割り当てられた被制御機器管理ＩＤとを関連付けて記憶するステップと、
前記ダイレクトアクセス管理サーバの第３のメッセージ送信設定処理部が、前記サービスサーバから受信した第２のメッセージ送信設定要求に含まれる前記制御機器・サービス管理ＩＤに関連付けられた被制御機器管理ＩＤを前記第３の記憶部から取得し、この被制御機器管理ＩＤが割り当てられた前記ネットワーク家電機器に、前記設定情報を含む第３のメッセージ送信設定要求を送信するステップと
をさらに具備することを特徴とするネットワークシステムのメッセージ処理方法。
【請求項１３】
ネットワークに、端末装置と、この端末装置の制御対象であるネットワーク家電機器と、前記ネットワークを介して前記ネットワーク家電機器にダイレクトにアクセスするために必要な情報の授受を行うダイレクトアクセス管理サーバとともに接続可能とされ、前記端末装置に対してネットワークを介して前記ネットワーク家電機器を制御するためのサービスを提供するサービスサーバであって、
前記端末装置のユーザを識別するユーザ識別情報と、前記端末装置とサービスとの組み合わせに対して割り当てられた制御機器・サービス管理ＩＤとが対応付けて記憶する第２の記憶部と、
前記端末装置より、前記ネットワーク家電機器で発生するイベントに関する、制御機器・サービス管理ＩＤごとのメッセージ送信の要否を設定する設定情報とユーザ識別情報とを含む第１のメッセージ送信設定要求を受信したとき、前記設定情報を前記ダイレクトアクセス管理サーバを介して前記ネットワーク家電機器に送信して保存させるために、前記第１のメッセージ送信設定要求に含まれる前記ユーザ識別情報に対応する制御機器・サービス管理ＩＤを前記第２の記憶部から取得し、この制御機器・サービス管理ＩＤと前記設定情報とを含む第２のメッセージ送信設定要求を前記ダイレクトアクセス管理サーバに送信する第２のメッセージ送信設定処理部とを具備することを特徴とするサービスサーバ。
【請求項１４】
ネットワークに、端末装置と、この端末装置の制御対象であるネットワーク家電機器と、請求項１３のサービスサーバとともに接続可能とされ、前記ネットワークを介して前記ネットワーク家電機器にダイレクトにアクセスするために必要な情報の授受を行うダイレクトアクセス管理サーバであって、
前記端末装置とサービスとの組み合わせに対して割り当てられた制御機器・サービス管理ＩＤと前記ネットワーク家電機器に割り当てられた被制御機器管理ＩＤとが関連付けて記憶する第３の記憶部と、
前記サービスサーバから前記第２のメッセージ送信設定要求を受信したとき、前記設定情報を前記ネットワーク家電機器に送信して保存させるために、前記第２のメッセージ送信設定要求に含まれる前記制御機器・サービス管理ＩＤに関連付けられた被制御機器管理ＩＤを前記第３の記憶部から取得し、この被制御機器管理ＩＤが割り当てられた前記ネットワーク家電機器に、前記設定情報を含む第３のメッセージ送信設定要求を送信する第３のメッセージ送信設定処理部とを具備することを特徴とするダイレクトアクセス管理サーバ。
【請求項１５】
ネットワークに、端末装置と、請求項１３のサービスサーバと、請求項１４のダイレクトアクセス管理サーバとともに接続可能なネットワーク家電機器であって、
前記ダイレクトアクセス管理サーバより受信した前記第３のメッセージ送信設定要求に含まれる前記設定情報を記憶する第１の記憶部と、
イベントが発生したとき、前記第１の記憶部に記憶された設定情報をもとに、当該イベントに関するメッセージの送信の要否を判定し、送信が必要な場合に、前記設定情報に含まれる前記制御機器・サービス管理ＩＤを含むメッセージを送信するメッセージ送信部とを具備することを特徴とするネットワーク家電機器。
【請求項１６】
ネットワークに、端末装置と、この端末装置の制御対象であるネットワーク家電機器と、前記ネットワークを介して前記ネットワーク家電機器にダイレクトにアクセスするために必要な情報の授受を行うダイレクトアクセス管理サーバとともに接続可能とされ、前記端末装置に対してネットワークを介して前記ネットワーク家電機器を制御するためのサービスを提供するサービスサーバのコンピュータプログラムであって、
コンピュータを、
前記端末装置のユーザを識別するユーザ識別情報と、前記端末装置とサービスとの組み合わせに対して割り当てられた制御機器・サービス管理ＩＤとが対応付けて記憶する第２の記憶部と、
前記端末装置より、前記ネットワーク家電機器で発生するイベントに関する、制御機器・サービス管理ＩＤごとのメッセージ送信の要否を設定する設定情報とユーザ識別情報とを含む第１のメッセージ送信設定要求を受信したとき、前記設定情報を前記ダイレクトアクセス管理サーバを介して前記ネットワーク家電機器に送信して保存させるために、前記第１のメッセージ送信設定要求に含まれる前記ユーザ識別情報に対応する制御機器・サービス管理ＩＤを前記第２の記憶部から取得し、この制御機器・サービス管理ＩＤと前記設定情報とを含む第２のメッセージ送信設定要求を前記ダイレクトアクセス管理サーバに送信する第２のメッセージ送信設定処理部として機能させることを特徴とするコンピュータプログラム。
【請求項１７】
ネットワークに、端末装置と、この端末装置の制御対象であるネットワーク家電機器と、請求項１３のサービスサーバとともに接続可能とされ、前記ネットワークを介して前記ネットワーク家電機器にダイレクトにアクセスするために必要な情報の授受を行うダイレクトアクセス管理サーバ用のコンピュータプログラムであって、
コンピュータを、
前記端末装置とサービスとの組み合わせに対して割り当てられた制御機器・サービス管理ＩＤと前記ネットワーク家電機器に割り当てられた被制御機器管理ＩＤとが関連付けて記憶する第３の記憶部と、
前記サービスサーバから前記第２のメッセージ送信設定要求を受信したとき、前記設定情報を前記ネットワーク家電機器に送信して保存させるために、前記第２のメッセージ送信設定要求に含まれる前記制御機器・サービス管理ＩＤに関連付けられた被制御機器管理ＩＤを前記第３の記憶部から取得し、この被制御機器管理ＩＤが割り当てられた前記ネットワーク家電機器に、前記設定情報を含む第３のメッセージ送信設定要求を送信する第３のメッセージ送信設定処理部として機能させることを特徴とするコンピュータプログラム。